(57)【要約】【課題】機器への組み込み用として好適な小型のものを得る。【解決手段】高電圧発生装置に接続される針状電極１が絶縁体３の一面に配設され、接地されるグランド電極２が上記絶縁体の一端側に取り付けられる。絶縁体が小さなものでよく、これに伴って全体としても小型化を図ることができる。【選択図】図１
2005050770.tif 000002
【特許請求の範囲】
【請求項１】
高電圧発生装置に接続される針状電極が絶縁体の一面に配設され、接地されるグランド電極が上記絶縁体の一端側に取り付けられていることを特徴とするイオン発生装置用放電ブロック。
【請求項２】
グランド電極は絶縁体における針状電極が配された一面とは異なる面に固定されて該固定部と針状電極との間に絶縁体が介在していることを特徴とする請求項１記載のイオン発生装置用放電ブロック。
【請求項３】
針状電極は絶縁体１の一面から浮かされて固定されていることを特徴とする請求項１または２記載のイオン発生装置用放電ブロック。
【請求項４】
グランド電極における絶縁体付近と針状電極との間に絶縁体からなる壁が配されていることを特徴とする請求項１〜３のいずれか１項に記載のイオン発生装置用放電ブロック。
【請求項５】
グランド電極は針状電極の先端の前方に位置するアーチ状であることを特徴とする請求項１〜４のいずれか１項に記載のイオン発生装置用放電ブロック。
【発明の詳細な説明】
【技術分野】
【０００１】
本発明は、コロナ放電によってイオンを発生させるイオン発生装置用放電ブロックに関するものでる。
【背景技術】
【０００２】
コロナ放電によってイオンを発生させるイオン発生装置があるが、この装置における放電ブロックは、特開２００２−１６４１４８号公報（特許文献１）に示されているものでは、円筒状の絶縁体の中心部に高電圧発生装置に接続される針状電極を配置し、絶縁体の内周に沿って上記針状電圧の軸線を中心とする円弧状のグランド電極を配置している。
【０００３】
上記形態であると、放電ブロックの外観が円筒状となることから、何らかの機器内に配置するにあたって、収納スペースを確保しにくいことがある。また円筒状の絶縁体が外側に位置するために、絶縁の確保の点では好ましいのであるが、機器に組み込んで使用する場合、絶縁体の外側を機器のハウジングで更に囲むことになる場合があり、この時には絶縁体は単に放電ブロックの小型化に対する制限部材となってしまっている。
【特許文献１】特開２００２−１６４１４８号公報
【発明の開示】
【発明が解決しようとする課題】
【０００４】
本発明は上記の従来の問題点に鑑みて発明したものであって、機器への組み込み用として好適な小型のイオン発生装置用放電ブロックを提供することを課題とするものである。
【課題を解決するための手段】
【０００５】
上記課題を解決するために本発明に係るイオン発生装置用放電ブロックは、高電圧発生装置に接続される針状電極が絶縁体の一面に配設され、接地されるグランド電極が上記絶縁体の一端側に取り付けられていることに特徴を有している。
【０００６】
この時、グランド電極は絶縁体における針状電極が配された一面とは異なる面に固定されて該固定部と針状電極との間に絶縁体を介在させることで、針状電極とグランド電極との間でアーク放電が生じてコロナ放電が阻害されてしまうことを防ぐことができる。
【０００７】
また、針状電極は絶縁体１の一面から浮かして固定されていると、絶縁体の帯電による問題を避けることができる。
【０００８】
また、グランド電極における絶縁体付近と針状電極との間に絶縁体からなる壁を配していると、コロナ放電を安定的に得ることができる。
【０００９】
また、グランド電極は針状電極の先端の前方に位置するアーチ状であると、イオンを安定的に前方へ放出することができる。
【発明の効果】
【００１０】
本発明は、針状電極が一面に配された絶縁体の一端側にグランド電極を取り付けていることから、絶縁体が小さなものでよく、これに伴って全体としても小型化を図ることができるものであり、また機器に組み込む時は機器側のハウジングを外側を囲む絶縁体として利用することができるために、機器における放電ブロックの配置スペースも小さくてすむとともに、絶縁に関して問題が生じることを避けることができる。
【発明を実施するための最良の形態】
【００１１】
以下、本発明を添付図面に示す実施形態に基いて説明すると、図１において、３は平板状の絶縁体であり、針状電極１はこの絶縁体３の一面上に配されて絶縁体３に係止される押さえ枠４によって固定されている。そして、ロ字形の金属板で形成されたグランド電極２は、絶縁体３の一端側に一辺が固定されることで取り付けられて、絶縁体３の上記針状電極１が配された一面側に針状電極１の先端前方位置に門状に立ち上がるものとされている。
【００１２】
上記放電ブロックによってマイナスイオンを発生させる場合は、高電圧発生装置５のたとえばＤＣ−５ｋＶを出力する端子に針状電極１を接続し、接地された基準電位側にグランド電極２を接続する。この時、針状電極１の先端が鋭利であるために、この先端に電界が集中し、針状電極１の先端付近においてコロナ放電が発生するとともにマイナスイオンが発生し、門型のグランド電極２内を通って外部に放出される。図中５１は高圧用リード線、５２は接地用リード線である。
【００１３】
なお、グランド電極２の絶縁体３に固定される一辺は、図２に示すように、針状電極１が配された一面とは反対側の面において、絶縁体３から突設されている突起３０によって固定されている。針状電極１が配された絶縁体３の一面と同じ面でグランド電極２の固定を行うと、針状電極１とグランド電極２の固定部との間にアーク放電が生じてコロナ放電が生じなくなる虞があるが、このような事態を招くことがなく、確実にコロナ放電を発生させることができる。
【００１４】
図３に示すように、絶縁体３の一端両側から立ち上がっているグランド電極２の両側片下部と針状電極１との間に、絶縁体３と一体もしくは別体の絶縁壁３１，３１を配置することも好ましい。絶縁距離が伸びるために沿面放電が起こりにくくなって、安定したコロナ放電を発生させることができる。
【００１５】
図４に他例を示す。これは絶縁体３の一面上に絶縁体２と一体もしくは別体の台３２を配置し、この台３２上に針状電極１を配置することで、絶縁体３の一面から台３２の高さＨだけ針状電極１の先端を浮かすようにしたものである。絶縁体３における放電が起こっている針状電極１の先端近傍部分では電子が付着しやすく、マイナスイオンを発生させている時にはマイナスに、プラスイオンを発生させている時にはプラスに帯電しやすくなるとともに、このような帯電が絶縁体３に生じると、そこで電界が発生するとともに、この電界によって質量の軽いマイナスイオン（あるいはプラスイオン）を安定的に発生させることができなくなるが、針状電極１の先端を浮かすことにより、絶縁体３の帯電が減ってイオン発生に対する影響が少なくなるものである。
【００１６】
グランド電極２として、上記の各例では角張った門型をなしているものを示したが、図５に示すように、アーチ型をなすものを用いてもよい。また、絶縁体３も平板状のものである必要はなく、図６に示すような断面半円状であったり、図７に示すような断面コ字形であってもよく、これらの場合のグランド電極２は、絶縁体３における間隔を置いて並ぶ側端間に張り渡すようにして配置すればよい。
【００１７】
また、上記の各例では、絶縁体３とグランド電極２とが閉じた環をなすようにしているが、グランド電極２は図８に示すように絶縁体３の表面に貼り付けられた平板状のものであってもよい。ただし、針状電極１との間でアーク放電が生じてしまうことがないように、針状電極１が配された一面とは異なる面上にグランド電極２を配置して沿面距離を大きくする。この場合、グランド電極２としてはアルミテープのような金属テープを用いることができる。
【００１８】
図９に示すように、絶縁体３の幅の狭い側面に針状電極１を配置し、絶縁体３の他の３面に金属テープからなるグランド電極２を貼り付けたものとしてもよい。
【００１９】
図１０は具体実施例の一つを示しており、樹脂成形品で形成された断面コ字形絶縁体３の一面上に針状電極１を浮かした状態で固定しているとともに、アーチ状をなすグランド電極２を絶縁体３の一端に配置している。このグランド電極２は、絶縁体３の外面に沿わせて上記一面とは反対側の面にある突起３０で固定していることから、絶縁体３の両側片は前記絶縁壁３１と同等の存在となっている。
【００２０】
また、図１１は図１０に示した放電ブロックが組み込まれた機器の一例を示しており、後端に吸い込み口６０，前端に吐出口６１を備えるヘアドライヤー６のハウジングの一部に外部に膨出する膨出部６２を設けて、イオン吹き出し口６３が開口する該膨出部６２内に上記放電ブロックを配置している。絶縁体３における針状電極１を配置した一面側は、機器（ヘアドライヤー）６のハウジングで覆われているために、絶縁の点で問題が生じることはない。
【図面の簡単な説明】
【００２１】
【図１】本発明の実施の形態の一例の概略を示す斜視図である。
【図２】(a)は同上の側面図、(b)は同上の平面図、(c)は同上の底面図である。
【図３】他例を示すもので、(a)は斜視図、(b)は平面図、(c)は右側面図である。
【図４】更に他例を示すもので、(a)は側面図、(b)は斜視図である。
【図５】別の例の斜視図である。
【図６】更に別の例を示しており、(a)は平面図、(b)は右側面図、(c)は斜視図である。
【図７】他の例の斜視図である。
【図８】さらに別の例を示しており、(a)は側面図、(b)は平面図、(c)は右側面図、(d)は斜視図である。
【図９】別の例を示しており、(a)は側面図、(b)は平面図、(c)は右側面図、(d)は斜視図である。
【図１０】具体実施例の一つを示しており、(a)は斜視図、(b)は断面図である。
【図１１】上記放電ブロックを備えている機器の一例の側面図である。
【符号の説明】
【００２２】
１  針状電極
２  グランド電極
３  絶縁体
【図１】
2005050770.tif 000003
【図２】
2005050770.tif 000004
【図３】
2005050770.tif 000005
【図４】
2005050770.tif 000006
【図５】
2005050770.tif 000007
【図６】
2005050770.tif 000008
【図７】
2005050770.tif 000009
【図８】
2005050770.tif 000010
【図９】
2005050770.tif 000011
【図１０】
2005050770.tif 000012
【図１１】
2005050770.tif 000013